【手続補正書】
【提出日】令和3年3月23日(2021.3.23)
【手続補正１】
【補正対象書類名】特許請求の範囲
【補正対象項目名】全文
【補正方法】変更
【補正の内容】
【特許請求の範囲】
【請求項１】
（Ａ）炭素数８以上２０以下のアルキル基又は炭素数８以上２０以下のアルケニル基を有し、糖縮合度が１以上５以下である（ポリ）グリコシドの少なくとも１種〔以下、（Ａ）成分という〕と、
（Ｂ１）下記一般式（Ｂ１１）で表される非イオン性界面活性剤、下記一般式（Ｂ１２）で表される非イオン性界面活性剤及び下記一般式（Ｂ１３）で表される非イオン性界面活性剤から選ばれる非イオン性界面活性剤の少なくとも１種〔以下、（Ｂ１）成分という〕と、
を含有する、水硬性組成物用分散剤組成物。
【化１】
2018184339.tif 000001
〔式中、
Ｒ１１、Ｒ３１：それぞれ、炭素数８以上２２以下のアルキル基、炭素数８以上２２以下のアルケニル基、炭素数８以上２２以下のアラルキル基、及び炭素数８以上２２以下の置換アリール基から選ばれる基
Ｒ２１：炭素数７以上２１以下のアルキル基、炭素数７以上２１以下のアルケニル基、炭素数７以上２１以下のアラルキル基、及び炭素数７以上２１以下の置換アリール基から選ばれる基
Ｒ２２：炭素数２以上４以下のアルキレン基
Ｘ１：炭素数１以上３以下のアルキル基、及び−Ｒ２２−ＯＨで表される基から選ばれる基
Ｒ３２、Ｒ３３：それぞれ、水素原子又は炭素数１以上３以下のアルキル基
ＡＯ：炭素数２以上４以下のアルキレンオキシ基
ｐ１：３以上１００以下の数
ｑ１、ｒ１：それぞれ、０以上の数であり、ｑ１とｒ１の合計は、０．５以上１００以下の数
である。〕
【請求項２】
更に、（Ｃ）消泡剤を含有する、請求項１に記載の水硬性組成物用分散剤組成物。
【請求項３】
（Ａ）成分と（Ｂ１）成分のモル比が、（Ａ）／（Ｂ１）で０．０５以上２０．０以下である、請求項１又は２に記載の水硬性組成物用分散剤組成物。
【請求項４】
（Ａ）成分と（Ｂ１）成分の質量比が、（Ａ）／（Ｂ１）で、０．０５以上４．０以下である、請求項１〜３の何れか１項記載の水硬性組成物用分散剤組成物。
【請求項５】
水硬性粉体と、
水と、
（Ａ）炭素数８以上２０以下のアルキル基又は炭素数８以上２０以下のアルケニル基を有し、糖縮合度が１以上５以下である（ポリ）グリコシドの少なくとも１種〔以下、（Ａ）成分という〕と、
（Ｂ１）下記一般式（Ｂ１１）で表される非イオン性界面活性剤、下記一般式（Ｂ１２）で表される非イオン性界面活性剤及び下記一般式（Ｂ１３）で表される非イオン性界面活性剤から選ばれる非イオン性界面活性剤の少なくとも１種〔以下、（Ｂ１）成分という〕と、
を含有する水硬性組成物であって、
（Ａ）成分と（Ｂ１）成分の合計含有量が、水硬性粉体１００質量部に対して０．０５質量部以上４．０質量部以下である、
水硬性組成物。
【化２】
2018184339.tif 000002
〔式中、
Ｒ１１、Ｒ３１：それぞれ、炭素数８以上２２以下のアルキル基、炭素数８以上２２以下のアルケニル基、炭素数８以上２２以下のアラルキル基、及び炭素数８以上２２以下の置換アリール基から選ばれる基
Ｒ２１：炭素数７以上２１以下のアルキル基、炭素数７以上２１以下のアルケニル基、炭素数７以上２１以下のアラルキル基、及び炭素数７以上２１以下の置換アリール基から選ばれる基
Ｒ２２：炭素数２以上４以下のアルキレン基
Ｘ１：炭素数１以上３以下のアルキル基、及び−Ｒ２２−ＯＨで表される基から選ばれる基
Ｒ３２、Ｒ３３：それぞれ、水素原子又は炭素数１以上３以下のアルキル基
ＡＯ：炭素数２以上４以下のアルキレンオキシ基
ｐ１：３以上１００以下の数
ｑ１、ｒ１：それぞれ、０以上の数であり、ｑ１とｒ１の合計は、０．５以上１００以下の数
である。〕
【請求項６】
更に、（Ｃ）消泡剤を含有する、請求項５に記載の水硬性組成物。
【請求項７】
（Ａ）成分と（Ｂ１）成分のモル比が、（Ａ）／（Ｂ１）で０．０５以上２０．０以下である、請求項５又は６に記載の水硬性組成物。
【請求項８】
（Ａ）成分と（Ｂ１）成分の質量比が、（Ａ）／（Ｂ１）で、０．０５以上４．０以下である、請求項５〜７の何れか１項記載の水硬性組成物。
【請求項９】
水硬性粉体が、石膏の含有量が２０質量％以下の水硬性粉体である、請求項５〜８の何れか１項記載の水硬性組成物。
【請求項１０】
（Ａ）成分と（Ｂ１）成分の合計含有量が、水硬性粉体１００質量部に対して０．１質量部以上２．０質量部以下である、請求項５〜９の何れか１項記載の水硬性組成物。
【請求項１１】
水硬性粉体と、水と、下記（Ａ）成分と、下記（Ｂ１）成分とを混合する、水硬性組成物の製造方法であって、
（Ａ）成分と（Ｂ１）成分とを、（Ａ）成分と（Ｂ１）成分の合計含有量が、水硬性粉体１００質量部に対して０．０５質量部以上４．０質量部以下となるように混合する、
水硬性組成物の製造方法。
（Ａ）成分：炭素数８以上２０以下のアルキル基又は炭素数８以上２０以下のアルケニル基を有し、糖縮合度が１以上５以下である（ポリ）グリコシドの少なくとも１種
（Ｂ１）成分：下記一般式（Ｂ１１）で表される非イオン性界面活性剤、下記一般式（Ｂ１２）で表される非イオン性界面活性剤及び下記一般式（Ｂ１３）で表される非イオン性界面活性剤から選ばれる非イオン性界面活性剤の少なくとも１種
【化３】
2018184339.tif 000003
〔式中、
Ｒ１１、Ｒ３１：それぞれ、炭素数８以上２２以下のアルキル基、炭素数８以上２２以下のアルケニル基、炭素数８以上２２以下のアラルキル基、及び炭素数８以上２２以下の置換アリール基から選ばれる基
Ｒ２１：炭素数７以上２１以下のアルキル基、炭素数７以上２１以下のアルケニル基、炭素数７以上２１以下のアラルキル基、及び炭素数７以上２１以下の置換アリール基から選ばれる基
Ｒ２２：炭素数２以上４以下のアルキレン基
Ｘ１：炭素数１以上３以下のアルキル基、及び−Ｒ２２−ＯＨで表される基から選ばれる基
Ｒ３２、Ｒ３３：それぞれ、水素原子又は炭素数１以上３以下のアルキル基
ＡＯ：炭素数２以上４以下のアルキレンオキシ基
ｐ１：３以上１００以下の数
ｑ１、ｒ１：それぞれ、０以上の数であり、ｑ１とｒ１の合計は、０．５以上１００以下の数
である。〕
【請求項１２】
更に、（Ｃ）消泡剤を混合する、請求項１１に記載の水硬性組成物の製造方法。
【請求項１３】
（Ａ）成分と（Ｂ１）成分とを、（Ａ）成分と（Ｂ１）成分のモル比が、（Ａ）／（Ｂ１）で０．０５以上２０．０以下となるように混合する、請求項１１又は１２に記載の水硬性組成物の製造方法。
【請求項１４】
（Ａ）成分と（Ｂ１）成分とを、（Ａ）成分と（Ｂ１）成分の質量比が、（Ａ）／（Ｂ１）で０．０５以上４．０以下となるように混合する、請求項１１〜１３の何れか１項記載の水硬性組成物の製造方法。
【請求項１５】
水硬性粉体が、石膏の含有量が２０質量％以下の水硬性粉体である、請求項１１〜１４の何れか１項記載の水硬性組成物の製造方法。
【請求項１６】
（Ａ）成分と（Ｂ１）成分とを、（Ａ）成分と（Ｂ１）成分の合計含有量が、水硬性粉体１００質量部に対して０．１質量部以上２．０質量部以下となるように混合する、請求項１１〜１５の何れか１項記載の水硬性組成物の製造方法。
【請求項１７】
水と水硬性粉体とを含有する水硬性組成物に、下記（Ａ）成分と下記（Ｂ１）成分とを、水硬性粉体１００質量部に対して、（Ａ）成分及び（Ｂ１）成分の合計の量として、０．０５質量部以上４．０質量部以下含有させる、水硬性組成物の流動性の向上方法。
（Ａ）成分：炭素数８以上２０以下のアルキル基又は炭素数８以上２０以下のアルケニル基を有し、糖縮合度が１以上５以下である（ポリ）グリコシドの少なくとも１種
（Ｂ１）成分：下記一般式（Ｂ１１）で表される非イオン性界面活性剤、下記一般式（Ｂ１２）で表される非イオン性界面活性剤及び下記一般式（Ｂ１３）で表される非イオン性界面活性剤から選ばれる非イオン性界面活性剤の少なくとも１種
【化４】
2018184339.tif 000004
〔式中、
Ｒ１１、Ｒ３１：それぞれ、炭素数８以上２２以下のアルキル基、炭素数８以上２２以下のアルケニル基、炭素数８以上２２以下のアラルキル基、及び炭素数８以上２２以下の置換アリール基から選ばれる基
Ｒ２１：炭素数７以上２１以下のアルキル基、炭素数７以上２１以下のアルケニル基、炭素数７以上２１以下のアラルキル基、及び炭素数７以上２１以下の置換アリール基から選ばれる基
Ｒ２２：炭素数２以上４以下のアルキレン基
Ｘ１：炭素数１以上３以下のアルキル基、及び−Ｒ２２−ＯＨで表される基から選ばれる基
Ｒ３２、Ｒ３３：それぞれ、水素原子又は炭素数１以上３以下のアルキル基
ＡＯ：炭素数２以上４以下のアルキレンオキシ基
ｐ１：３以上１００以下の数
ｑ１、ｒ１：それぞれ、０以上の数であり、ｑ１とｒ１の合計は、０．５以上１００以下の数
である。〕
【請求項１８】
（Ａ）成分と（Ｂ１）成分とを、（Ａ）成分と（Ｂ１）成分のモル比である（Ａ）／（Ｂ１）が０．０５以上２０．０以下で、水硬性組成物に含有させる、請求項１７に記載の水硬性組成物の流動性の向上方法。
【請求項１９】
（Ａ）成分と（Ｂ１）成分とを、（Ａ）成分と（Ｂ１）成分の質量比である（Ａ）／（Ｂ１）が０．０５以上４．０以下で、水硬性組成物に含有させる、請求項１７又は１８に記載の水硬性組成物の流動性の向上方法。
【請求項２０】
水硬性粉体が、石膏の含有量が２０質量％以下の水硬性粉体である、請求項１７〜１９の何れか１項記載の水硬性組成物の流動性の向上方法。
【請求項２１】
（Ａ）成分と（Ｂ１）成分とを、水硬性粉体１００質量部に対して、（Ａ）成分及び（Ｂ１）成分の合計の量として、０．１質量部以上２．０質量部以下含有させる、請求項１７〜２０の何れか１項記載の水硬性組成物の流動性の向上方法。
【請求項２２】
（Ａ）炭素数８以上２０以下のアルキル基又は炭素数８以上２０以下のアルケニル基を有し、糖縮合度が１以上５以下である（ポリ）グリコシドの少なくとも１種と、
（Ｂ２）下記一般式（Ｂ２１）で表される非イオン性界面活性剤、下記一般式（Ｂ２２）で表される非イオン性界面活性剤、下記一般式（Ｂ２３）で表される非イオン性界面活性剤及び下記一般式（Ｂ２４）で表される非イオン性界面活性剤から選ばれる非イオン性界面活性剤であって、ＨＬＢ値が２以上１１以下である非イオン性界面活性剤の少なくとも１種と、
を含有する、水硬性組成物用混和剤組成物。
【化５】
2018184339.tif 000005
〔式中、
Ｒ１１ｂ、Ｒ３１ｂ：それぞれ、炭素数８以上２２以下のアルキル基、炭素数８以上２２以下のアルケニル基、炭素数８以上２２以下のアラルキル基、及び炭素数８以上２２以下の置換アリール基から選ばれる基
Ｒ２１ｂ、Ｒ４１ｂ：それぞれ、炭素数７以上２１以下のアルキル基、炭素数７以上２１以下のアルケニル基、炭素数７以上２１以下のアラルキル基、及び炭素数７以上２１以下の置換アリール基から選ばれる基
Ｒ２２ｂ：炭素数２以上４以下のアルキレン基
Ｘ２：炭素数１以上３以下のアルキル基、及び−Ｒ２２ｂ−ＯＨで表される基から選ばれる基
Ｒ３２ｂ、Ｒ３３ｂ：それぞれ、水素原子又は炭素数１以上３以下のアルキル基
ＡＯ：炭素数２以上４以下のアルキレンオキシ基
ｐ２：０．５以上２０以下の数
ｑ２、ｒ２：それぞれ、０以上の数であり、ｑ２とｒ２の合計は、０．５以上２０以下の数
である。〕
【請求項２３】
（Ａ）炭素数８以上２０以下のアルキル基又は炭素数８以上２０以下のアルケニル基を有し、糖縮合度が１以上５以下である（ポリ）グリコシドの少なくとも１種〔以下、（Ａ）成分という〕と、
（Ｂ２）下記一般式（Ｂ２１）で表される非イオン性界面活性剤、下記一般式（Ｂ２２）で表される非イオン性界面活性剤、下記一般式（Ｂ２３）で表される非イオン性界面活性剤及び下記一般式（Ｂ２４）で表される非イオン性界面活性剤から選ばれる非イオン性界面活性剤であって、ＨＬＢ値が２以上１１以下である非イオン性界面活性剤の少なくとも１種〔以下、（Ｂ２）成分という〕と、
を含有する、水硬性組成物用水和発熱抑制剤。
【化６】
2018184339.tif 000006
〔式中、
Ｒ１１ｂ、Ｒ３１ｂ：それぞれ、炭素数８以上２２以下のアルキル基、炭素数８以上２２以下のアルケニル基、炭素数８以上２２以下のアラルキル基、及び炭素数８以上２２以下の置換アリール基から選ばれる基
Ｒ２１ｂ、Ｒ４１ｂ：それぞれ、炭素数７以上２１以下のアルキル基、炭素数７以上２１以下のアルケニル基、炭素数７以上２１以下のアラルキル基、及び炭素数７以上２１以下の置換アリール基から選ばれる基
Ｒ２２ｂ：炭素数２以上４以下のアルキレン基
Ｘ２：炭素数１以上３以下のアルキル基、及び−Ｒ２２ｂ−ＯＨで表される基から選ばれる基
Ｒ３２ｂ、Ｒ３３ｂ：それぞれ、水素原子又は炭素数１以上３以下のアルキル基
ＡＯ：炭素数２以上４以下のアルキレンオキシ基
ｐ２：０．５以上２０以下の数
ｑ２、ｒ２：それぞれ、０以上の数であり、ｑ２とｒ２の合計は、０．５以上２０以下の数
である。〕
【請求項２４】
更に、（Ｃ）消泡剤を含有する、請求項２３に記載の水硬性組成物用水和発熱抑制剤。
【請求項２５】
（Ａ）成分と（Ｂ２）成分のモル比が、（Ａ）／（Ｂ２）で０．１０以上１０．０以下である、請求項２３又は２４に記載の水硬性組成物用水和発熱抑制剤。
【請求項２６】
（Ａ）成分と（Ｂ２）成分の質量比が、（Ａ）／（Ｂ２）で０．０５以上４．０以下である、請求項２３〜２５の何れか１項記載の水硬性組成物用水和発熱抑制剤。
【請求項２７】
水硬性粉体と、
水と、
（Ａ）炭素数８以上２０以下のアルキル基又は炭素数８以上２０以下のアルケニル基を有し、糖縮合度が１以上５以下である（ポリ）グリコシドの少なくとも１種〔以下、（Ａ）成分という〕と、
（Ｂ２）下記一般式（Ｂ２１）で表される非イオン性界面活性剤、下記一般式（Ｂ２２）で表される非イオン性界面活性剤、下記一般式（Ｂ２３）で表される非イオン性界面活性剤及び下記一般式（Ｂ２４）で表される非イオン性界面活性剤から選ばれる非イオン性界面活性剤であって、ＨＬＢ値が２以上１１以下である非イオン性界面活性剤の少なくとも１種〔以下、（Ｂ２）成分という〕と、
を含有する水硬性組成物であって、
（Ａ）成分と（Ｂ２）成分の合計含有量が、水硬性粉体１００質量部に対して０．０５質量部以上４．０質量部以下である、
水硬性組成物。
【化７】
2018184339.tif 000007
〔式中、
Ｒ１１ｂ、Ｒ３１ｂ：それぞれ、炭素数８以上２２以下のアルキル基、炭素数８以上２２以下のアルケニル基、炭素数８以上２２以下のアラルキル基、及び炭素数８以上２２以下の置換アリール基から選ばれる基
Ｒ２１ｂ、Ｒ４１ｂ：それぞれ、炭素数７以上２１以下のアルキル基、炭素数７以上２１以下のアルケニル基、炭素数７以上２１以下のアラルキル基、及び炭素数７以上２１以下の置換アリール基から選ばれる基
Ｒ２２ｂ：炭素数２以上４以下のアルキレン基
Ｘ２：炭素数１以上３以下のアルキル基、及び−Ｒ２２ｂ−ＯＨで表される基から選ばれる基
Ｒ３２ｂ、Ｒ３３ｂ：それぞれ、水素原子又は炭素数１以上３以下のアルキル基
ＡＯ：炭素数２以上４以下のアルキレンオキシ基
ｐ２：０．５以上２０以下の数
ｑ２、ｒ２：それぞれ、０以上の数であり、ｑ２とｒ２の合計は、０．５以上２０以下の数である。〕
【請求項２８】
更に、（Ｃ）消泡剤を含有する、請求項２７に記載の水硬性組成物。
【請求項２９】
更に、（Ｄ）分散剤を含有する、請求項２７又は請求項２８に記載の水硬性組成物。
【請求項３０】
（Ｄ）が、ポリカルボン酸系共重合体、リグニンスルホン酸系共重合体、及びナフタレンスルホン酸系共重合体から選ばれる１種以上の分散剤である、請求項２９に記載の水硬性組成物。
【請求項３１】
（Ａ）成分と（Ｂ２）成分のモル比が、（Ａ）／（Ｂ２）で０．１以上１０．０以下である、請求項２７〜３０の何れか１項に記載の水硬性組成物。
【請求項３２】
（Ａ）成分と（Ｂ２）成分の質量比が、（Ａ）／（Ｂ２）で０．０５以上４．０以下である、請求項２７〜３１の何れか１項記載の水硬性組成物。
【請求項３３】
水硬性粉体が、石膏の含有量が２０質量％以下の水硬性粉体である、請求項２７〜３２の何れか１項記載の水硬性組成物。
【請求項３４】
（Ａ）成分と（Ｂ２）成分の合計含有量が、水硬性粉体１００質量部に対して０．１質量部以上２．０質量部以下である、請求項２７〜３３の何れか１項記載の水硬性組成物。
【請求項３５】
水硬性粉体と、水と、下記（Ａ）成分と、下記（Ｂ２）成分とを混合する、水硬性組成物の製造方法であって、
（Ａ）成分と（Ｂ２）成分とを、（Ａ）成分と（Ｂ２）成分の合計含有量が、水硬性粉体１００質量部に対して０．０５質量部以上４．０質量部以下となるように混合する、
水硬性組成物の製造方法。
（Ａ）成分：炭素数８以上２０以下のアルキル基又は炭素数８以上２０以下のアルケニル基を有し、糖縮合度が１以上５以下である（ポリ）グリコシドの少なくとも１種
（Ｂ２）成分：下記一般式（Ｂ２１）で表される非イオン性界面活性剤、下記一般式（Ｂ２２）で表される非イオン性界面活性剤、下記一般式（Ｂ２３）で表される非イオン性界面活性剤及び下記一般式（Ｂ２４）で表される非イオン性界面活性剤から選ばれる非イオン性界面活性剤であって、ＨＬＢ値が２以上１１以下である非イオン性界面活性剤の少なくとも１種
【化８】
2018184339.tif 000008
〔式中、
Ｒ１１ｂ、Ｒ３１ｂ：それぞれ、炭素数８以上２２以下のアルキル基、炭素数８以上２２以下のアルケニル基、炭素数８以上２２以下のアラルキル基、及び炭素数８以上２２以下の置換アリール基から選ばれる基
Ｒ２１ｂ、Ｒ４１ｂ：それぞれ、炭素数７以上２１以下のアルキル基、炭素数７以上２１以下のアルケニル基、炭素数７以上２１以下のアラルキル基、及び炭素数７以上２１以下の置換アリール基から選ばれる基
Ｒ２２ｂ：炭素数２以上４以下のアルキレン基
Ｘ２：炭素数１以上３以下のアルキル基、及び−Ｒ２２ｂ−ＯＨで表される基から選ばれる基
Ｒ３２ｂ、Ｒ３３ｂ：それぞれ、水素原子又は炭素数１以上３以下のアルキル基
ＡＯ：炭素数２以上４以下のアルキレンオキシ基
ｐ２：０．５以上２０以下の数
ｑ２、ｒ２：それぞれ、０以上の数であり、ｑ２とｒ２の合計は、０．５以上２０以下の数
である。〕
【請求項３６】
更に、（Ｃ）消泡剤を混合する、請求項３５に記載の水硬性組成物の製造方法。
【請求項３７】
（Ａ）成分と（Ｂ２）成分とを、（Ａ）成分と（Ｂ２）成分のモル比が、（Ａ）／（Ｂ２）で０．１以上１０．０以下となるように混合する、請求項３５又は３６に記載の水硬性組成物の製造方法。
【請求項３８】
（Ａ）成分と（Ｂ２）成分とを、（Ａ）成分と（Ｂ２）成分の質量比が、（Ａ）／（Ｂ２）で０．０５以上４．０以下となるように混合する、請求項３５〜３７の何れか１項記載の水硬性組成物の製造方法。
【請求項３９】
水硬性粉体が、石膏の含有量が２０質量％以下の水硬性粉体である、請求項３５〜３８の何れか１項記載の水硬性組成物の製造方法。
【請求項４０】
（Ａ）成分と（Ｂ２）成分とを、（Ａ）成分と（Ｂ２）成分の合計含有量が、水硬性粉体１００質量部に対して０．１質量部以上２．０質量部以下となるように混合する、請求項３５〜３９の何れか１項記載の水硬性組成物の製造方法。
【請求項４１】
水と水硬性粉体とを含有する水硬性組成物に、下記（Ａ）成分と下記（Ｂ２）成分とを、水硬性粉体１００質量部に対して、（Ａ）成分及び（Ｂ２）成分の合計の量として、０．０５質量部以上４．０質量部以下含有させる、水硬性組成物の水和発熱抑制方法。
（Ａ）成分：炭素数８以上２０以下のアルキル基又は炭素数８以上２０以下のアルケニル基を有し、糖縮合度が１以上５以下である（ポリ）グリコシドの少なくとも１種
（Ｂ２）成分：下記一般式（Ｂ２１）で表される非イオン性界面活性剤、下記一般式（Ｂ２２）で表される非イオン性界面活性剤、下記一般式（Ｂ２３）で表される非イオン性界面活性剤及び下記一般式（Ｂ２４）で表される非イオン性界面活性剤から選ばれる非イオン性界面活性剤であって、ＨＬＢ値が２以上１１以下である非イオン性界面活性剤の少なくとも１種
【化９】
2018184339.tif 000009
〔式中、
Ｒ１１ｂ、Ｒ３１ｂ：それぞれ、炭素数８以上２２以下のアルキル基、炭素数８以上２２以下のアルケニル基、炭素数８以上２２以下のアラルキル基、及び炭素数８以上２２以下の置換アリール基から選ばれる基
Ｒ２１ｂ、Ｒ４１ｂ：それぞれ、炭素数７以上２１以下のアルキル基、炭素数７以上２１以下のアルケニル基、炭素数７以上２１以下のアラルキル基、及び炭素数７以上２１以下の置換アリール基から選ばれる基
Ｒ２２ｂ：炭素数２以上４以下のアルキレン基
Ｘ２：炭素数１以上３以下のアルキル基、及び−Ｒ２２ｂ−ＯＨで表される基から選ばれる基
Ｒ３２ｂ、Ｒ３３ｂ：それぞれ、水素原子又は炭素数１以上３以下のアルキル基
ＡＯ：炭素数２以上４以下のアルキレンオキシ基
ｐ２：０．５以上２０以下の数
ｑ２、ｒ２：それぞれ、０以上の数であり、ｑ２とｒ２の合計は、０．５以上２０以下の数
である。〕
【請求項４２】
（Ａ）成分と（Ｂ２）成分の少なくとも一方を、液状で用いる、請求項４１に記載の水硬性組成物の水和発熱抑制方法。
【請求項４３】
（Ａ）成分と（Ｂ２）成分の少なくとも一方を、水又は有機溶媒に溶解させて用いる、請求項４１又は４２に記載の水硬性組成物の水和発熱抑制方法。
【請求項４４】
（Ａ）成分と（Ｂ２）成分とを、（Ａ）／（Ｂ２）＝０．１以上１０．０以下のモル比で用いる、請求項４１〜４３の何れか１項に記載の水硬性組成物の水和発熱抑制方法。
【請求項４５】
（Ａ）成分と（Ｂ２）成分とを、（Ａ）／（Ｂ２）＝０．０５以上４．０以下の質量比で用いる、請求項４１〜４４の何れか１項に記載の水硬性組成物の水和発熱抑制方法。
【請求項４６】
水硬性粉体が、石膏の含有量が２０質量％以下の水硬性粉体である、請求項４１〜４５の何れか１項記載の水硬性組成物の水和発熱抑制方法。
【請求項４７】
（Ａ）成分と（Ｂ２）成分とを、水硬性粉体１００質量部に対して、（Ａ）成分及び（Ｂ２）成分の合計の量として、０．１質量部以上２．０質量部以下含有させる、請求項４１〜４６の何れか１項記載の水硬性組成物の水和発熱抑制方法。